(57)【要約】【課題】  本発明は動力機器を使用せずに、容易にセット調整を行い得るインパクトクラッシャにおけるセット調整装置を実現すること。【解決手段】  インパクトクラッシャのセット調整装置であって、本体ケーシング上部側の調整用ロッドに抜け止め部材を装着し、上記調整用ロッドより大径で上記抜け止め部材より小径の小穴部と、該小穴部に連通し上記抜け止め部材より大径の大穴部が形成された調整板を設け、上記調整板をその小穴部に上記調整用ロッドが位置する状態で、ケーシング上部と抜け止め部材との間に複数積み重ねて配置し、それら調整板を固定手段にて固定し、上記固定手段による固定を解除した状態において、上部の上記調整板を横方向にスライドすることにより、上記抜け止め部材の位置に上記大穴部を位置させ、それによって上記調整用ロッドをスライドさせた上記調整板の厚さ分下降させる。【選択図】  図２
2008284519.tif 000002
【特許請求の範囲】
【請求項１】
本体ケーシング内に複数の打撃板を装着したロータを回転可能に軸支し、上記本体ケーシング内にスイングアームの一端を軸支し該アームのロータへの対向部に反発板を固設し、上記スイングアームを上記本体ケーシング上部から調整用ロッドにて吊下する構成のインパクトクラッシャのセット調整装置であって、
上記本体ケーシング上部側の上記調整用ロッドに抜け止め部材を装着し、
上記調整用ロッドより大径で上記抜け止め部材より小径の小穴部と、該小穴部に連通し上記抜け止め部材より大径の大穴部が形成された調整板を設け、
上記調整板をその小穴部に上記調整用ロッドが位置する状態で、上記ケーシング上部と上記抜け止め部材との間に複数積み重ねて配置すると共に、それら調整板を固定手段にて固定し、
かつ上記固定手段による固定を解除した状態において、上部の上記調整板を横方向にスライドすることにより、上記抜け止め部材の位置に上記大穴部を位置させ、それによって上記調整用ロッドをスライドさせた上記調整板の厚さ分下降させるものであることを特徴とするインパクトクラッシャのセット調整装置。
【請求項２】
上記固定手段は、上記本体ケーシング上部側にボルトを立設すると共に、上記調整板に上記スライド方向の長穴を形成し、
上記ボルトに各長穴を挿通した状態で上記調整板を積み重ね、上記ボルトの上部にナットを締結することにより上記調整板を固定するものであることを特徴とする請求項１のインパクトクラッシャのセット調整装置。
【発明の詳細な説明】
【技術分野】
【０００１】
本発明は、インパクトクラッシャにおいて、破砕物のサイズを決定する打撃板と反発板との間の間隙を調整するセット調整装置に関するものである。
【背景技術】
【０００２】
従来、砕石場や建物の解体現場などから出される自然岩石やコンクリート塊などを破砕する装置として所謂インパクトクラッシャが知られている。このインパクトクラッシャは、ロータに取り付けられた複数の打撃板と、該打撃板に対向配置された反発板とを具備し、投入された被破砕物（原料）は、上記ロータが回転することで上記打撃部によって繰り返し衝撃を与えられて砕かれ、その破片は上記反発板に衝突してまた砕かれ、自重で落下する。自重で落下した被破砕物は、再び打撃部によって砕かれ、その衝撃で反発板に向かって飛ばされる。このように被破砕物は打撃板と反発板とによって砕かれながら打撃板と反発板の最小間隙から破砕物（製品）として排出される。
【０００３】
ここで、上記打撃板と反発板との最小間隙のことをセットという。従って、インパクトクラッシャによって生成される破砕物のサイズは、上記反発板と打撃板との最小間隙（セット）によって決定される。このため、当該セットを常時一定間隔に調整維持することは製品品質の維持にとって極めて重要である。
【０００４】
従来のインパクトクラッシャでは上記セット調整を、反発板が固設されたアームを調整ボルトで本体ケーシングに吊下支持し、上記調整ボルトを本体側において雌螺子部に螺合し、当該調整ボルトを回転させることにより上記アームを昇降するものがあった。この際、上記調整ボルトを駆動モータ等の駆動手段により回転させる間隔調整装置が提案されている（特許文献１）。
【０００５】
また、反発板を吊下する調整ロッドの上端に油圧シリンダーを接続し、当該油圧シリンダーのロッドを伸縮駆動して上記調整ロッドを昇降することによりセット調整を行うものも提案されている。
【特許文献１】特開２００３−３８９６８号公報
【発明の開示】
【発明が解決しようとする課題】
【０００６】
ところで、上記従来の調整機構では、調整ボルトを回転させるために駆動モータや油圧シリンダー等の駆動手段が必要であるため、これらの駆動手段を本体ケーシング上部に常時固設しておくか、或はセット調整の度に上記駆動手段を上記調整ボルトに装着、離脱する作業を行うことが必要となる。しかしながら、セット調整にこれらの駆動手段を使用すると、装置自体が大型化するし、セット調整作業が複雑化するため、上記駆動手段等の動力を使用せずにより簡便にセット調整を可能とする機構が望まれている。
【０００７】
本発明は、上記従来の課題に鑑みてなされたものであり、油圧シリンダー等の駆動手段を用いることなく簡単にセット調整を行い得るインパクトクラッシャのセット調整装置を提供することを目的とする。
【課題を解決するための手段】
【０００８】
上記課題を解決するため本発明は、
第１に、本体ケーシング内に複数の打撃板を装着したロータを回転可能に軸支し、上記本体ケーシング内にスイングアームの一端を軸支し該アームのロータへの対向部に反発板を固設し、上記スイングアームを上記本体ケーシング上部から調整用ロッドにて吊下する構成のインパクトクラッシャのセット調整装置であって、上記本体ケーシング上部側の上記調整用ロッドに抜け止め部材を装着し、上記調整用ロッドより大径で上記抜け止め部材より小径の小穴部と、該小穴部に連通し上記抜け止め部材より大径の大穴部が形成された調整板を設け、上記調整板をその小穴部に上記調整用ロッドが位置する状態で、上記ケーシング上部と上記抜け止め部材との間に複数積み重ねて配置すると共に、それら調整板を固定手段にて固定し、かつ上記固定手段による固定を解除した状態において、上部の上記調整板を横方向にスライドすることにより、上記抜け止め部材の位置に上記大穴部を位置させ、それによって上記調整用ロッドをスライドさせた上記調整板の厚さ分下降させるものであることを特徴とするインパクトクラッシャのセット調整装置により構成される。
【０００９】
上記抜け止め部材は、例えば調整用ロッドに螺合し得るロックナット（２７）、皿バネ（２３）等により構成することができる。上記小穴部は例えばＵ状穴（１８ｂ）、上記大穴部は例えば円形穴（１８ａ）により構成することができる。このように構成すると、調整板の積層枚数によりセットの設定が可能であり、また調整板をスライドさせて調整用ロッドの位置を移動した調整板の厚さ分下降させることによりセットの調整を行うことができる。
【００１０】
第２に、上記固定手段は、上記本体ケーシング上部側にボルトを立設すると共に、上記調整板に上記スライド方向の長穴を形成し、上記ボルトに各長穴を挿通した状態で上記調整板を積み重ね、上記ボルトの上部にナットを締結することにより上記調整板を固定するものであることを特徴とする上記第１記載のインパクトクラッシャのセット調整装置により構成される。
【００１１】
このように構成すると、ボルトを緩めることにより調整板をスライド可能状態とすることができ、ボルトを締結することにより調整板を固定できるため、セット調整に係る調整板の固定解除並びに固定を簡単な操作により行うことができる。
【発明の効果】
【００１２】
本発明に係るセット調整装置によると、インパクトクラッシャにおけるセット調整を動力機器を使用せずに簡単に行うことができる。
【発明を実施するための最良の形態】
【００１３】
以下、本発明の実施形態を添付図面に基づいて詳細に説明する。まずインパクトクラッシャ１及びセット調整機構２、２’の構成について説明する。
【００１４】
図１は本発明のセット調整機構２，２’を備えたインパクトクラッシャ１の全体構成を示す断面図である。同図において、インパクトクラッシャ１は、クラッシャ本体を形成する上部開口の本体ケーシング１ａ、該本体ケーシング１ａの上部開口を開閉するケーシング蓋３、上記ケーシング１ａ内下部に回転軸５を以って矢印ａ方向に回転可能に軸支されたロータ６、そのロータ６の外周に固定された複数枚の打撃板４と、上記ケーシング１ａ内において上記ロータ６の外周面に対向するように上記ケーシング蓋３上面から吊下された反発装置７と、その反発装置７に固定された複数の反発板７ａ，７ａ’，７ｂ，７ｂ’と、上記ケーシング蓋３の上部に設けられ上記反発板７ａ’，７ｂ’と打撃板４等との間隔（セット）を調整するセット調整機構２，２’を具備している。尚、１ｂは原料投入口、１ｃは製品排出口であり、以下の説明では原料投入口１ｂ側を前方、製品排出口１ｃ側を後方、図１における本体ケーシング１ａの幅方向を左右方向という。
【００１５】
図１のように、上記反発装置７において、８は上記ケーシング蓋３の下面側に設けられた軸受９ａに軸支された支持軸９を以って矢印ｂ，ｃ方向に回動可能に軸支された第１スイングアーム、１０は同じく上記支持軸９を以って矢印ｂ，ｃ方向に回動可能に軸支された第２スイングアームであり、上記第１スイングアーム８の下面の反発板取付面８ａに２枚の同一形状の第１反発板７ａ，７ａ’が前後方向に並列的に固定されている。即ち、上記スイングアーム８、１０の上記取付面８ａ，１０ａのロータ６への対向部に反発板７ａ，７ａ’，７ｂ，７ｂ’が固設されている。
【００１６】
この第１スイングアーム８の上記取付面８ａとは反対側の面には、上記セット調整機構２’から垂下された調整用ロッド１３の下端連結部２５を位置させ、該連結部２５に左右方向ピン１１を挿通し、当該ピン１１の両端部を各々上記第１スイングアーム８のリブ８ｂに固定する。これによって、当該第１スイングアーム８は一端を上記支持軸９で軸支された状態で上記調整用ロッド１３によって吊下支持された状態となっており、上記調整用ロッド１３を矢印ｊ、ｋ方向に調整することにより、上記スイングアーム８を上記支持軸９を中心として矢印ｂ，ｃ方向に回動可能となっている。
【００１７】
上記第２スイングアーム１０は、その先端部にロータ６の方向を向いた反発板取付面１０ａを有しており、当該反発板取付面１０ａに２枚の同一形状の第２反発板７ｂ，７ｂ’が略上下方向に並列的に固定されている。この第２スイングアーム１０の上記取付面１０ａとは反対側の面のリブ１０ｂに、上記セット調整機構２から垂下された調整用ロッド１３の下端連結部２６を位置させ、該連結部２６の左右方向貫通孔に左右方向ピン１２を相通し、当該ピン１２の両端部を各々上記リブ１０ｂに固定する。これによって、当該第２スイングアーム１０は一端を上記支持軸９で軸支された状態で上記調整用ロッド１３によって吊下支持された状態となっており、上記調整用ロッド１３をその矢印ｊ、ｋ方向に調整することにより、上記スイングアーム１０を上記支持軸９を中心として上記第１スイングアーム８とは独立して矢印ｂ，ｃ方向に回動可能となっている。
【００１８】
ここで、上記ロータ６と上記第１反発板７ａ，７ａ’によって囲まれた空間を第１破砕室Ｋ１といい、上記ロータ６と上記第２反発板７ｂ，７ｂ’によって囲まれた空間を第２破砕室Ｋ２という。また、上記ロータ６に固定された打撃板と上記反発板との最小間隙を「セット」という。従って、上記第１破砕室Ｋ１のセットは、第１スイングアーム８の反発板７ａ’と上記打撃板４との間隙Ｓ１をいい（図２参照）、第２破砕室Ｋ２のセットは、第２スイングアーム１０の反発板７ｂ’と上記打撃板４と間隙Ｓ２をいう。
【００１９】
そして、上記各セット（間隙Ｓ１，Ｓ２）を調整するには、上記セット調整機構２，２’において、上記各調整ロッド１３，１３をその昇降方向（矢印ｊ、ｋ方向）に調整することにより行う。
【００２０】
上記ロータ６は、上記水平回転軸５をケーシング２の外部に設けられた電動モータ（図示せず）で回転することにより矢印ａ方向に回転駆動される。上記打撃板４は、上記ロータ６の回転中心を通る直径面Ｄに平行にかつ同一開き角度（９０度毎）に設けた挿入溝４ａに各々挿入固定され、各打撃面４ｂを上記ロータ６の外周面から突出している。尚、打撃板４の設置枚数はこれに限定されない。
【００２１】
上記ケーシング蓋３は、本体ケーシング１ａの後部下端の支軸３’を以って、上記セット調整機構２，２’及び反発装置７共々矢印ｄ方向に開成可能となっており、図１は当該ケーシング蓋３を矢印ｅ方向に回動して閉鎖した状態を示している。尚、ケーシング蓋３を開いた状態を図７に示す。また、図１中二点鎖線ｗはケーシング蓋３と本体ケーシング１ａとの分離ラインである。よって、上記ケーシング蓋３は、打撃板・反発板の交換や異常発生時などに、ロータ６の回転駆動を停止させてから開状態に開いてメンテナンス姿勢をとることができる。上記ケーシング蓋３の開閉は、その背部に設けられた油圧シリンダー２９によって行う。尚、図１中７ｃは上記支持軸９とは異なる支持軸９’に軸支された保護ライナであり、上記スイングアームの支持部を保護するものである。
【００２２】
図２〜図５に本発明に係るセット調整機構２，２’の構成を示す。次にこれらの図を参照して上記セット調整機構２，２’の具体的構成を説明する。
【００２３】
同図において、上記蓋３の中央部には、上記調整用ロッド１３，１３を挿通するための貫通穴１４，１４が前後方向に隣接して設けられている。また、上記蓋３には、板面の左寄りの偏心位置に貫通穴１５ａ，１５ａが形成された長方形状のベース板１５，１５が、その貫通穴１５ａ，１５ａを各々上記貫通穴１４，１４に同心的に位置あわせした状態で、各長手方向が左右方向となるように、上記蓋３の上面に各々固定されている（図２、図３参照）。上記貫通穴１５ａ，１５ａの直径は、上記貫通穴１４，１４より若干小径であり（図２参照）、上記貫通穴１５ａ，１５ａ内には、各々上記調整用ロッド１３，１３の矢印ｊ、ｋ方向の移動を円滑に行うためのスリーブ状の案内ガイド１６，１６がボルトＢにより取り付けられている（図４参照）。
【００２４】
尚、上記セット調整機構２，２’の構成は同一であるため、以下一方のセット調整機構２’について説明し、他方のセット調整機構２には同一符号を付して便宜上その説明を省略する。
【００２５】
上記ベース板１５の上記貫通穴１５ａ近傍の前方寄りの位置には、左右方向に沿って２本のスタッドボルト２１，２１が該ベース板１５に対して直角に立設支持されている。
【００２６】
上記ベース板１５の上面には、所定厚さ（本実施形態では１２ｍｍ）で長方形状の複数の調整板１７（本実施形態では１０枚）が、その長穴２０に上記スタッドボルト２１を挿通した状態で積み重ねられている。
【００２７】
この調整板１７は、その形状は上記ベース板１５と略同じ長方形状であるが、ベース板１５より若干小さく形成しても良い。この調整板１７は、その板面に円形穴部１８ａと該円形穴部１８ａに連続するＵ状穴部１８ｂとから構成される調整穴１８が貫通形成されている。この調整穴１８の上記Ｕ状穴部１８ｂの対向直線部１９，１９の間隔Ｔ１は（図４（ｃ）参照）、上記円形穴部１８ａの直径Ｔ２より若干短く形成されており、当該調整穴１８は全体として当該長方形状の長手方向に沿う鍵穴形状に形成されている。また、上記調整板１７の板面には、その前方側の側縁に沿う長穴２０が設けられており、該長穴２０に上記２本のスタットボルト２１が挿通された状態となっている。
【００２８】
そして、この調整板１７は、その長穴２０に上記２本のスタッドボルト２１を挿通した状態で、上記調整穴１８のＵ状穴部１８ｂの位置が上記ベース板１５の貫通穴１５ａに適合するように上記ベース板１５の上に載置され、同様に１０枚の調整板１７が積層状態で互いにずれないように積み重ねられている（図４（ｂ）参照）。そして、２つのロックナット２２，２２を一番上の調整板１７上に突出している上記スタッドボルト２１，２１の先端にねじ込むことにより、上記１０枚の調整板１７が積層状態で一体的に固定されている（図４（ａ）（ｂ）の状態）。
【００２９】
この状態では、上記調整用ロッド１３は、上記貫通穴１５ａ及び上記調整穴１８のＵ状穴１８ｂを挿通した状態で、上記最上部の調整板１７の上面側に突出しており、その先端部の雌螺子部に皿バネ２３及びガイドスリーブ２７ａ付のロックナット２７を螺子込み、上記皿バネ２３を上記最上部の調整板１７のＵ状穴部１８ｂの周縁に載置する。これにより、上記調整用ロッド１３は、該調整用ロッド１３の下方への落下を阻止された状態で抜け止めされている。尚、上記調整用ロッド１３の上端部にはネジキャップ２８が螺子込まれている。
【００３０】
上述のように、上記皿バネ２３の直径は上記Ｕ状穴１８ｂの幅（Ｔ１）より大なので、上記Ｕ状穴１８ｂの位置では上記調整用ロッド１３は抜け止めされた状態となるが、上記調整穴１８の円形穴部１８ａの直径Ｔ２は上記皿バネ２３の直径より大きく形成されているので、上記ロックナット２２，２２を緩めて、最上部の調整板１７を図４（ａ）の状態から図４（ｃ）の状態に左方向（矢印ｓ方向）に移動させ、上記皿バネ２３の位置に円形穴部１８ａを位置させると、調整用ロッド１３は上記調整板１７の一枚分の厚み（１２ｍｍ）だけ下降してその皿バネ２３が２枚目の調整板１７のＵ状穴１８ｂの周縁に当接した状態で停止させることができる（図４（ｃ）（ｄ）参照）。これにより、調整用ロッド全体が１２ｍｍ下降するため、上記セットＳ１を狭くする方向に調整し得るように構成されている。
【００３１】
本発明は上述のように構成されているので、次に本発明のセット調整法を説明する。尚、本発明に係るセット調整機構２，２’は図１に示すように、複数枚の調整板１７が積層された状態で、反発板７ａ’，７ｂ’を吊り下げ保持しており、第１破砕室Ｋ１のセットはＳ１、第２破砕室Ｋ２のセットはＳ２に保持されているものとする。この状態で、所定期間使用すると、打撃板４或は反発板７ａ，’，７ｂ’が磨耗して上記セットＳ１，Ｓ２が拡大するので、製品品質を維持するために、上記セットを当初の大きさに戻すことが必要となる。尚、この実施例では、反発板７ａ’のセットＳ１を調整するセット調整機構２’の操作を説明するが、反発板７ｂ’のセットＳ２を調整する場合の上記調整機構２の操作も同様である。
【００３２】
まず、駆動シリンダー２９を以ってケーシング蓋３を矢印ｄ方向に回動させて図７の状態まで開口する。すると、上記調整用ロッド１３は、同図に示すように水平位置より調整用ロッド１３の先端部が下側を向く傾斜位置まで傾いた状態となる。上記調整ロッド１３は通常では上記調整板１７のＵ状穴１８ｂの周縁に皿バネ２３を以って載置されているだけの状態であるため、上記の傾斜位置まで傾斜させると、上記調整用ロッド１３は矢印ｐ方向（下向き傾斜方向）に自重により多少スライドして、その皿バネ２３と上記最上位の調整板１７との接触が無くなる。
【００３３】
この状態において、上記調整機構２’のロックナット２２，２２を緩めて、最上位の１枚の調整板を矢印ｓ方向にスライドさせる。このとき、その円形穴部１８ａが上記調整ロッド１３のシャフトと同心的となる位置（図４（ｃ）の位置）まで移動させる（図４（ａ）の位置から図４（ｃ）への位置）。このとき、上記調整用ロッド１３の皿バネ２３と、最上部の調整板１７とは接触していないので、調整板１７の移動は操作者の手、或はハンマー等で叩くことにより、容易に行うことができる。尚、本実施形態では、上記調整板１７の移動はその長穴２０の右端が右側のスタッドボルト２１に当接する位置まで移動させれば、上記円形穴１８ａが上記調整用ロッド１３と同心に位置するように構成している。
【００３４】
上記調整板１７の移動の終了後、再び上記ロックナット２２，２２を締め付ける。その後、駆動シリンダー２９を駆動してケーシング蓋３を矢印ｅ方向に回動させ、図１の閉鎖状態とする。すると、上記調整用ロッド１３は上記蓋３が閉鎖されるに従って自重によって矢印ｊ方向に下降していくが、最上位の移動された調整板１７は、上記皿バネ２３に対応する位置に該皿バネ２３の直径より大径の円形穴１８ａが位置しているので、調整ロッド１３の皿バネ２３は最上位の調整板１７の円形穴１８ａを通過して２番目の調整板１７のＵ状穴１８ｂの周縁に当接した状態、即ち上記最上位の調整板１７に係合していた位置より、調整板１枚分（１２ｍｍ）分、低い位置に低下した状態となる（図４（ｄ））。
【００３５】
そうすると、上記調整用ロッド１３の下端に支持されている反発板７ａ’の上記セットＳ１は１２ｍｍ分狭くなり、磨耗等により拡大していたセットをもとに戻すことができる。
【００３６】
さらにその後のインパクトクラッシャの所定期間の動作により再び磨耗が生じた場合は、今度は同様の手法により上から２枚目の調整板１７を上記と同様にスライドさせ、上記調整用ロッド１３を３枚目の調整板１７上に載置した常態とすればよい。
【００３７】
尚、調整板の厚みは例えば４．５ｍｍ〜２５ｍｍの間の任意の厚さとすることができ、厚さを小さくするとそれだけ細かい調整を行うことができる。また、一度にスライドさせる調整板１７の数は１枚に限らず、調整幅に応じて複数枚を同じにスライドさせても良い。
【００３８】
また、本発明の場合、調整板１７によらず調整用ロッド１３のスリーブ２７ａ付のロックナット２７を回転させることによってセットＳ１，Ｓ２の微調整が可能である。
【００３９】
以上のように本発明によると、調整板１７を積層することでセットの設定を行うことができ、さらに調整板１７をスライドさせるだけで、調整用ロッド１３の位置（高さ）を、移動した調整板１７の厚さ分だけ下降させ、これによりセットの調整を行うことができるので、動力を使用せずに手動にて容易にセット調整を行うことができる。
【００４０】
また、ロックボルト２２を緩めることにより調整板１７をスライド可能状態とすることができ、ロックボルト２２を締結することにより調整板１７を固定できるため、セット調整に係る調整板１７の固定解除並びに固定を簡単な操作により行うことができる。
【００４１】
このように、本発明に係るセット調整装置によると、インパクトクラッシャにおけるセット調整を動力機器を使用せずに簡単に行うことができる。
【産業上の利用可能性】
【００４２】
本発明に係るインパクトクラッシャのセット調整装置は、面倒な作業であったセット調整を動力機器を使用せずに簡単に行えるので、砕石業又は土木業・リサイクル業などの事業所において用いるの好適である。
【図面の簡単な説明】
【００４３】
【図１】本発明に係るインパクトクラッシャのセット調整装置を使用したインパクトクラッシャの側面断面図である。
【図２】同上装置の側面断面図である。
【図３】（ａ）は同上装置におけるケーシング蓋近傍の平面図、（ｂ）は同上装置におけるケーシング蓋近傍の側面図である。
【図４】（ａ）は同上装置のセット調整機構のセット調整前の平面図、（ｂ）は同上装置のセット調整機構のセット調整前の側面断面図、（ｃ）は同上装置のセット調整機構のセット調整後の平面図、（ｄ）は同上装置のセット調整機構のセット調整後の側面断面図である。
【図５】同上装置のセット調整機構の斜視図である。
【図６】同上装置の側面図である。
【図７】同上装置のケーシング蓋を開いた状態の側面図である。
【符号の説明】
【００４４】
１              インパクトクラッシャ
１ａ            本体ケーシング
２、２’        セット調整機構
３              ケーシング蓋
４              打撃板
６              ロータ
７ａ，７ａ’    反発板
７ｂ，７ｂ’    反発板
８              第１スイングアーム
１０            第２スイングアーム
１３            調整用ロッド
１７            調整板
１８            調整穴
１８ａ          円形穴
１８ｂ          Ｕ状穴
２０            長穴
２１            スタッドボルト
２２            ロックナット
２３            皿バネ
２７ａ          スリーブ
２７            ロックボルト
【図１】
2008284519.tif 000003
【図２】
2008284519.tif 000004
【図３】
2008284519.tif 000005
【図４】
2008284519.tif 000006
【図５】
2008284519.tif 000007
【図６】
2008284519.tif 000008
【図７】
2008284519.tif 000009